(57)【要約】      （修正有）【課題】大量に散乱したテニスボール等のボールを一人でも短時間に効率よく回収することのできる新規なボール回収機を提供する。【解決手段】ボール回収機の主要部を、車輪５ａ、それを支持する車軸４、車輪の回転に連動して回動するボール押上板７、前記ボール押上板の下を通り抜けたテニスボールをボール回収容器９に移送するために設けられたボール回収板８、ボール回収板の両端に設けられた側板およびボール回収容器により構成し、前記ボール回収板の取付角度、寸法、地面との間隙等を適切な値とし、前記ボール回収板に前記ボール押上板の端部が最も近づいたときのボール回収板と該ボール押上板の端部との間隙はボールがそこからこぼれないで円滑に回収できる間隙とする。【選択図】図２
0003145559.tif 000002
【実用新案登録請求の範囲】
【請求項１】
（Ａ）車輪、（Ｂ）それを支持する車軸、（Ｃ）車輪の回転に連動して回動するボール押上板、（Ｄ）前記（Ｃ）のボール押上板の下を通り抜けたテニスボールをボール回収容器に移送するために設けられたボール回収板、（Ｅ）ボール回収板の両端に設けられた側板および（Ｆ）ボール回収容器、よりなるボール回収機であって、
前記（Ｄ）のボール回収板は、
（１）ボール回収機の操作時においてボール回収機の進行方向に対して地面とボール回収板との角度が４４°〜５８°の範囲なる角度で設け、
（２）ボール回収板の下端と地面との隙間は５〜１０ｍｍとなるようにし、
（３）ボール回収板の上端の地面からの高さが７０ｍｍ以上となるようにし、
（４）ボール回収板の縦幅は９０〜１００ｍｍとなるようにし、
（５）前記側板と側板との間の横幅は下記式
〔テニスボールの直径（ｍｍ）〕×（テニスボールの個数）＋〔０〜３５（ｍｍ）〕
（前記式で得られる数値の単位はミリメートルであり、テニスボールの直径は新
品のボールの直径である）
で示される値とし、
前記（Ｄ）のボール回収板に前記（Ｃ）のボール押上板の端部が最も近づいたときのボール回収板と該ボール押上板の端部との間隙はボールがそこからこぼれないで円滑に回収できる間隙である
ことを特徴とするテニスボール回収機。
【考案の詳細な説明】
【技術分野】
【０００１】
本考案は、効率的なテニスボールの回収機に関するものである。
【背景技術】
【０００２】
通常、テニスの練習において、練習者は技術上達のために何十個、何百個ものテニスボールを使用することが普通である。このため一通り練習した後は、コートに散乱した多数の使用ボールを回収する作業が必要になる。この作業は、腰をかがめてテニスボールを手で一つ一つ拾いラケットに数個載せてから籠に移すとか、テニスボールをラケットで叩いてテニスネットに寄せ集めてから一挙に回収する等の方法が採られている。しかし、これらの方法は、大勢での練習時には短時間で終了するが、一人でサーブの練習をする場合や、２〜３人での練習の際には、大量のテニスボールを回収する作業はかなり面倒なことである。
【０００３】
このため、腰をかがめてボールを一つ一つ拾う負担を軽減するための技術がいろいろ提案されている。特許文献１では円筒状物の後端部に排出口と吊りハンドルを設けるとともに、前段部にボールの大きさと略等しい取り入れ口とボールの脱出を規制するストッパを設けたボール回収機が開示されており、このタイプのものはダイワ精工株式会社からボールピックアップ（商品名）と称して市販されている。しかし、この器具は、コートに散乱したボールを一つずつ狙ってテニスボールよりも僅かに大きい直径しか持たない円筒の先をボールにかぶせて押さなければならないので回収スピードは遅い。このため大量のボールを回収するには時間がかかり過ぎるし、ボール収納量は最大２４個でしかないので少量のボール回収向きの器具と言える。
【０００４】
また、棒の先にネット状の籠が付属した形状のもので、“片手で棒を持ち、もう一方の手でラケットを使ってボールをかき入れる”というタイプのボール回収機は特許文献２によって提案されており、このタイプのものは鵜沢ネット株式会社から“ボールひろい”という商品名で市販されている。しかし、このタイプのものは自動的にボールをスムースに回収できず、ラケットを使うことになるのは大変負担である。
【０００５】
特許文献３によればボールの直径より少し短い距離に、間隔を取った多少の弾性を有する多数の円盤を、平行にそして１つの軸に中心で固定した平行円盤車輪を備え、ボールの散ばった地面の上に、それをころがすだけで、ボールを円盤の間に挟んで、拾いあげて、各々円盤と円盤の間の上部付近に傾斜させて設けたくし状板により、円盤間からボールを外して、くし状板の前に設けたボール収集かごに入れる構造であり、更に、そのボール収集かごの前部の下半分の地点に、支点を設け、ボール収集かごを、前に簡単に倒すことができ、ボール収集かごから、容易に収集したボールを所望の地点に排出することを特徴とするボール回収機が提案されている。
また、特許文献４によれば自走車の運転席に座った運転者が自走車の運転と、ボール収集車を油圧シリンダ等の制御機器により、左右に約３５°の範囲で揺動する操作とを行い、ボール収集車に搭載した駆動装置によりボール収集ロールの車軸を自走車の速度と独立して回転作動させ、車軸の放射方向の数枚の各回転板に取付けたゴム板その他ブラシ板などの柔軟なボール蹴り材により地上に多数転がっているゴルフボールを前方に蹴りだし、かつ左右への水平揺動により集合させてゴルフ練習場のボール収集溝に蹴り落とし、又は地上の集合箇所に寄せ集めることを特徴とするボール回収機が提案されている。
特許文献５には、少なくとも一端部に車軸部を有する本体を設け、この本体の車軸部に回転自在な状態で車輪を設け、前記車輪で回転駆動される回転羽根状の収集羽根車を車軸に設け、この収集羽根車でかき集められるボールを収納する容器状の収容体を前記本体に設け、収集羽根車でかき集められるボールを収集羽根車の回転軌道に沿って、前記収容体
の内部へ案内するガイド部材を本体に設け、前記車輪と対向するように本体を支持する回転自在な補助車輪を本体に設けたボール拾い機が記載されている。
これらの装置は、一度に多数のボールを処理できるが、いずれも装置が複雑で、高価なものとならざるを得ない。
【０００６】
そこで、本出願人は先に特願２００６−１１４３８０号として、（Ａ）車輪、（Ｂ）それを支持する車軸、（Ｃ）車輪の回転に連動して回動するボール押上板、（Ｄ）前記（Ｃ）のボール押上板の下を通り抜けたボールをボール回収容器に移送するために設けられたボール回収板、および（Ｅ）ボール回収容器よりなるボール回収機であって、前記（Ｄ）のボール回収板は、ボール回収機の操作時においては少なくともボール回収機の進行方向に対する仰角が９０°を上廻る角度で設けられており、前記（Ｃ）のボール押上板の端部が最も近づいたときのボール回収板と該端部との間隙はボールがそこからこぼれないで円滑に回収できる間隙であることを特徴とするボール回収機、に関する出願をしたが特許文献５を骨子とした拒絶理由により拒絶査定を受けた。
【０００７】
【特許文献１】特開２００１−１７５７９号公報
【特許文献２】特開２００２−３２５８６５号公報
【特許文献３】特開平７−８０１００号公報
【特許文献４】特開平７−１１２０３８号公報
【特許文献５】実願昭６１−３４３０８号（実開昭６２−１４５６６３号公報）マイクロフィルム
【考案の開示】
【考案が解決しようとする課題】
【０００８】
本考案の目的は、特願２００６−１１４３８０号の発明を改良し、大量に散乱したテニスボールを一人でも短時間に効率よく回収することのできる新規なテニスボール回収機を提供する点にある。
【課題を解決するための手段】
【０００９】
本考案は、（Ａ）車輪、（Ｂ）それを支持する車軸、（Ｃ）車輪の回転に連動して回動するボール押上板、（Ｄ）前記（Ｃ）のボール押上板の下を通り抜けたテニスボールをボール回収容器に移送するために設けられたボール回収板、（Ｅ）ボール回収板の両端に設けられた側板および（Ｆ）ボール回収容器、よりなるボール回収機であって、
前記（Ｄ）のボール回収板は、
（１）ボール回収機の操作時においてボール回収機の進行方向に対して地面とボール回収板との角度が４４°〜５８°の範囲なる角度で設け、
（２）ボール回収板の下端と地面との隙間は５〜１０ｍｍとなるようにし、
（３）ボール回収板の上端の地面からの高さが７０ｍｍ以上となるようにし、
（４）ボール回収板の縦幅は９０〜１００ｍｍとなるようにし、
（５）前記側板と側板との間の横幅は下記式
〔テニスボールの直径（ｍｍ）〕×（テニスボールの個数）＋〔０〜３５（ｍｍ）〕
（前記式で得られる数値の単位はミリメートルであり、テニスボールの直径は新
品のボールの直径である）
で示される値とし、
前記（Ｄ）のボール回収板に前記（Ｃ）のボール押上板の端部が最も近づいたときのボール回収板と該ボール押上板の端部との間隙はボールがそこからこぼれないで円滑に回収できる間隙である
ことを特徴とするテニスボール回収機に関する。
【００１０】
ボール回収機の操作時においてボール回収機の進行方向に対して地面とボール回収板との角度が４４°〜５８°の範囲なる角度で設け理由は、その角度が４４°を下回ると、ボール回収板の上端付近にボールが上昇した時ボール押上板の先端がボールから遠くなりすぎ、そのためボールがボール回収板の上端を乗り越えられない事態が生じる。この現象はテニスボール回収機をゆっくりした速度で動かしてボールを回収するときに顕著になる。また、ボール回収板の縦幅には限度があるので、これ以上角度をゆるやかにすると必然的にボール回収板の上端の高さが低くなり、ボールを２段重ねに回収するのに必要なボール回収容器の深さがとれなくなり、１回で回収できるボールの数が少なくなり好ましくない。一方、その角度が５８°を上回るようになると、ボール押上板により押されたボールはボール回収容器の方向よりも垂直方向に跳ね上げられる確率が高くなり、後方のボール回収容器にボールが収まらないリスクが高くなり、好ましくない。
【００１１】
ボール回収板の下端と地面との隙間は５〜１０ｍｍとすることが必要である。この隙間が５ｍｍを下回ると、一般的にテニスコートは平らとはいえ、多少の凹凸があるので、ボール回収板の下端がコート面（地面）に接触する危険がある。また、この隙間が１０ｍｍを越えるとボールがボール押上板の先端付近とボール回収板の下端の間に挟まってロック状態となりやすいので好ましくない。
【００１２】
ボール回収板の上端の地面からの高さは７０ｍｍ以上とすることが必要である。この高さが７０ｍｍを下回ると、ボール回収容器の深さが十分とれないので、一度に回収できるボールの数が少なくなり回収効率が低下する。さらにボール回収容器の底面はコート面と接触するのを防止するため地面より少なくとも５ｍｍ程度の距離を必要とすること、またテニスボールの直径が６６ｍｍあること、を考慮するとボール回収板の地面からの高さは７０ｍｍ以上が必要である。また、ボール回収板の上端の地面からの高さが１０５ｍｍを上回ると、ボールがスムースにボール回収容器側に落ちないので好ましくない。
【００１３】
ボール回収板の縦幅は９０〜１００ｍｍとなるようにすることが必要である。この範囲は、ボール回収板の設置角度、その上端の高さおよび下端と地面との距離を考慮すると、必然的にこの範囲としなければならない。
【００１４】
前記側板と側板との間の横幅は下記式
〔テニスボールの直径（ｍｍ）〕×（テニスボールの個数）＋〔０〜３５（ｍｍ）〕
（前記式で得られる数値の単位はミリメートルであり、テニスボールの直径は新
品のボールの直径である）
で示される値とすることが必要である。この範囲を外れると、ボール回収板上から回収ボールがボール回収容器にスムースに収まらないケースが生じる。
【００１５】
本考案の前記テニスボール回収機をテニスコートなどに散乱したテニスボールの上を通過させるとボール押上板の下を通り抜けたテニスボールはボール回収板に当たり、捕捉されると同時にボール回収機の移動に伴なって前方に引きずられる。すると瞬時に回転してきたボール押上板がボール回収板前のテニスボールをボール押上板とボール回収板とが形成する断面Ｖ字型状の空間に挟み込む状態になる。そして更にボール回収機の移動に従いボール押上板がテニスボールをボール回収板の上端まで転がすように押し上げてボール回収容器に送り込むことにより、テニスボールを回収することができる。
【００１６】
本考案のテニスボール回収機は、人力で動かすタイプでもよいし、自動駆動タイプとすることもできる。人力で駆動させる場合にはボール回収機を人力で動かすためのハンドル操作機構が必要となり、自動駆動の場合には、ガソリンエンジンや電動モーターなどが必要であり、また、これをリモートコントロールするシステムも採用可能である。また自動駆動の場合は必ずしもハンドルを必要としない。
【００１７】
以下に人力で動かすタイプの好ましい本考案の態様について説明する。
本考案においては、前記側板と側板との間の横幅を下記式
〔テニスボールの直径（ｍｍ）〕×（テニスボールの個数）＋〔０〜３５（ｍｍ）〕
（前記式で得られる数値の単位はミリメートルであり、テニスボールの直径は新
品のボールの直径である）
を満足する寸法とするものである。
この場合、前記テニスボールの個数は、５〜６個が好ましい。その理由は、４個以下ではボールの回収効率が悪く、また７個以上ではボールの重みによりボール押上板に荷重がかかり過ぎて、これに連動する車輪がスリップしてボールが回収しにくくなるリスクが生じたり、ボール回収機の横幅が広くなりすぎ、取扱いにくくなるからである。
【００１８】
前記（Ｅ）の「ボール回収板の両端に設けられた側板」は、ボール回収板とボール押上板および枠体との間にボールが挟まってボール押上板の回転が不能になり、ボールの回収ができなくなるリスクを避けるためのものであり、前記側板はボール回収板の左右側面に上方からみて前方方向にやや末広がりになる形状で、かつボール回収板を枠体に固定する機能を兼ねた板状部材として設置することが好ましい。
ただし、側板を設置した場合でもボールの直径と、テニスボールが外部からの圧力により収縮することを念頭においた適当な横幅にしないとボール回収板とボール押上板との間でボール群が挟まり、回収不能になることがある。
これを避けるためには、前記２つの側板の間の間隔は、前記式を満足する寸法（ミリメートル）にする必要がある。
【００１９】
前記側板と側板との間隔を前記式で示されたものとする理由は下記のとおりである。
ボール回収機によりボールを回収する際に散乱したボールはボール回収板にあたって横一列に並ぶ。このとき前記式における常数０〜３５における数値の最大値である３５ミリメートルまではボール相互の間隔に余裕があるため、ボール同士がお互いに干渉することなくボール押上板によりスムースにボールを回収できる。しかし、横幅が前記式の最大値を超えると、ボール回収板の先端に集められたボールがボール押上板による圧力により圧縮されてたわみ、ボール押上板の回転を抑止する状態になるのでボールの回収が不能になる場合がある。
【００２０】
この状況についてボールの個数と「前記側板と側板との間隔」の具体例について説明する。
前記側板と側板との間隔＝
〔テニスボールの直径（ｍｍ）〕×（テニスボールの個数）＋３５（ｍｍ）
＝６６ｍｍ×５＋３５ｍｍ＝３６５ｍｍ
のケースにおいて、ボールが５個集まっている場合は、各ボールの間隔に余裕があり、お互いに干渉することなくボールが横一列になってボール押上板を経てスムースに回収される。またボールが６個集まっている場合は、６個目のボールが横一列になった状態で割り込むだけの隙間がないため、６個目のボールは、ボールとボール押上板との間で発生する圧力によりはじき出されて、５個一列の状態が維持されるので問題がない。
【００２１】
前記側板と側板との間隔に関する式における常数が３５より大きい数、たとえば４５となった場合について検討する。
この場合
前記側板と側板との間隔＝
〔テニスボールの直径（ｍｍ）〕×（テニスボールの個数）＋４５（ｍｍ）
＝６６ｍｍ×５＋４５ｍｍ＝３７５ｍｍ
となる。
前記側板と側板との間隔が３７５ミリメートルのところに６個のテニスボールが集まると、６個のテニスボールが１個もはじき出されることなく、横一列に圧縮されてロックされた状態になり、ボールの回収が不能になる場合が往々にして起きる。この現象は古いボールを回収する場合に発生しやすい。これは古いボールは多少空気が抜けているので外部圧力によりたわみやすくなっているからである。前記ボールがロックするリスクは、前記側板と側板との間隔が前記式における常数が３５を越えるあたりから次第に増大し、ボールの直径である６６ｍｍ寸前まで存在する。前記ボールがロックするリスクが一番大きい「前記側板と側板との間隔」についてはボールが新しいか古いかによってボールの空気圧が異なるためいちがいには言えないが、常数の上限を３５とするのが好適である。
前記側板の大きさは、ボールが側板からこぼれ出ない程度の大きさであればよい。
【００２２】
本考案のボール回収機の１つの基本的で簡便な具体例は、図１〜３に示すとおりである。
図１〜３のボール回収機は、一対の車輪５ａ、５ｂを連結した車軸４を挟むようにしてボール押上板７が取り付けられており、前記車軸４には、枠体１を介して、両端に側板１２ａ、１２ｂを有するボール回収板８、ボール回収容器９およびハンドル２が設けられたものである。また、実際の操作に当っては、ハンドル２の長さは大人がボール回収機を操作するに都合がよい長さと太さにする。ボール回収機の操作はボール回収板８が進行方向に対して地面との角度が４４°〜５８°の範囲、とくに好ましくは５３°〜５５°になるようにしてテニスボールが存在する方向に向って押してゆく。するとボール押上板７が回転したとき、その下を通り抜けてきたテニスボールは、ボール回収板８に接触するかしないかの間に、回転してきたボール押上板７によりボール回収板８上を押し上げられてボール回収容器９に送り込まれる。
前記ボール回収板８は、ボール回収機の操作時においてボール回収機の進行方向に対して地面との角度が４４°〜５８°、とくに好ましくは５３°〜５５°の範囲になる角度にすることが大切である。
前記側板と側板との間の横幅を下記式
〔テニスボールの直径（ｍｍ）〕×（テニスボールの個数）＋〔０〜３５（ｍｍ）〕
（前記式で得られる数値の単位はミリメートルであり、テニスボールの直径は新
品のボールの直径である）
を満足する寸法とすることにより、ボール押上板７の前に集められた多数のテニスボールはボール回収板８のところで詰まってしまうことなく、ボール回収板８を経てスムースにボール回収容器９に収納できる。
ボール回収容器９の底面は、ボール回収機の進行方向側が後ろ側よりやや高くなっており、ボール回収機の移動に伴う振動により、回収されたテニスボールが自然に後方に移動し、ボール回収容器９の前方にボールが偏ることがないようにすることが好ましく、ボール回収容器９の深さは、少なくともボール１個の直径と同じか、それよりやや大きいものとすることが好ましい。要は回収されたボールがボール回収容器９の前部に存在していても、つぎのボールがスムースに回収できるような深さとすることが必要である。
【００２３】
前記車輪の大きさは、回収しようとするテニスボールの直径より小さい半径のものでは使用できないが、通常回収しようとするテニスボールの直径より２０〜１００％程度大きい半径を持つものを使用する。
【００２４】
車輪の回転に連動（車軸の回転に連動しても実質的に同一である）して回動するボール押上板は、回転軸を中心として上下に２枚の板状体を連結したものであってもよいし、回転軸を中心に三方または四方にはり出した３〜４枚の板状体を連結したものであってもよい。この板の材質は、テニスボールの回収に際し、湾曲しない程度の剛性があればよく、それ以外にはとくに制限はないが、金属（アルミニウム、鉄など）、木質材、ゴム、プラスチックス（ポリカーボネートが好ましい）あるいはこれらの積層体などを用いることができる。テニスボールと接触する部分は、テニスボールに傷がつかないようにするためおよびすべり摩擦力を低減させるため、平滑な表面（たとえば、すべすべした塗装仕上げにする）とすることが好ましい。
また、本考案の車輪の回転に連動して回動するボール押上板は、必ずしも図２に示すようにその車輪を回転させている車軸に直結していなくても、車輪の回転に連動して回動することができればよい。
例えば、車輪の上方に、車輪および／または車軸の回転を伝えるＶベルトやプーリーなどを介してボール押上板の左右に設けた軸受に設置された軸を回転させ、これによりボール押上板を回転させてもよい。
【００２５】
ボール押上板と車軸の連結方法は例えば下記の方法で行うことができるが、これに制限されるものではない。
（１）車軸を押上板の左右に溶接で固着する方法（金属の場合で特に切り込みを入れなくても溶接で結合可能）。
（２）押上板としてポリカーボネートのような合成樹脂を使用する場合は、押上板と車軸を射出成型で一体として形成する方法などを挙げることができる。
【００２６】
前記ボール押上板は、回転時にコートなどの地表に接触しないでボールを押し上げることができる長さで、車輪の動きに連動して回動するように取り付ける。それには図１〜２に示すように車軸に直接固定することにより回動させてもよいし、ベルトまたは歯車を介して車輪の回転を伝達させることにより回動させることもできる。
【００２７】
前記ボール押上板の形状は、板に限らず、一部切れ込みのある短冊タイプのもの、棒状体を並べたもの、金網状のものなどであることができる。
【００２８】
前記ボール回収板は、ボール回収機の進行方向に対して、前記ボール押上板の後方に設けられており、前記ボール押上板の下を通り抜けてきたテニスボールを前記ボール押上板と前記ボール回収板との共同作業でボール回収板の後方に設けられているボール回収容器に送り込む役割を担っている。そのため、ボール回収板の存在位置は、ボール回収板の前面（ボール押上板と向き合っている面）がボール押上板に最も近づいたとき、その先端に接触はしないが、捕捉したテニスボールがボール押上板の回動によりボール回収板上をスムースに転がりボール回収容器に送り込まれるような間隔を設ける。通常、この間隔はテニスボールの直径の１／３０〜１／３、好ましくは１／２０〜１／４、とくに好ましくは１／１０〜１／４である。ボール回収板と地表との間隙は、ボール回収板が地表に接触はしないが、テニスボールが回収板と地表との間にはさまってしまうことがないような間隙とする必要があるのは当然の理である。
ボール回収板の形状や材質は、本質的にボール押上板と同様である。
【００２９】
ボール回収容器は、最も簡便なものとしては、図１〜２に示すような金属などの枠体に網を張ったものでもよいし、通常の箱物であってもよく、とくに制限はない。
図１のボール回収容器は容器の枠体がボール回収機の本体の１部を構成しているが、通常は、本体に対して着脱自在の構造とすることが好ましい。
また、回収したテニスボールをボール回収容器からボール貯蔵容器や他のボールかごに移しかえやすくするため、図１に示すように、ボール回収容器の前面上部が前方に傾斜した形状のものが好ましい。
【００３０】
図１〜２は、後方に１対のキャスター６ａ、６ｂを設けたケースである。場合によっては後方の車輪は車軸の中央部に１個だけ設けたものでもよい。
キャスターは、左右に１対存在しても方向転換がスムースであるが、左右に車輪を設けた場合には、方向転換の際、内側と外側の車輪の間で速度差が生じるので、自動車の場合はそこに差動装置が用いられている。本発明の場合も、自動駆動方式とする場合は、差動装置を設けることが好ましいが、人手で動かす場合は必ずしも必要ではない。
また、人力またはそれに近い程度のエネルギーで駆動させる場合、例えば、図１、２のような場合は、１対の前輪のうち一方の車輪のみを車軸と固定し（これを駆動輪とする）、もう一方は車軸が空転するように車輪をとりつけておくことにより、車輪のスリップを回避することもできる。
【００３１】
前記ハンドル２は、単なる棒状体でもよいが、枠体に２対の車輪とベビーカーにつけるようなハンドルを付けたタイプのものとすることができる。また、ハンドルの長さは調節自在とすることもできる。
図１のタイプのものは、ハンドルが枠体に着脱自在としたり、折りたためるようにすることができる。
前記ハンドルや枠体は、鉄やアルミニウムなどの金属製丸管や角管を用いることが好ましいが、これらに制限されるものではない。
【００３２】
本考案のテニスボール回収機が大型になった場合には、必要に応じてボール回収容器に貯まったテニスボールを自動的に別のボール貯蔵容器に移送する手段やボール回収容器にどの程度ボールが貯まったかを検知し、これによりボール移送手段を駆動するシステムを採用することができる。
【考案の効果】
【００３３】
（１）本考案によれば、ボール回収機のハンドルを少なくとも片手で握り、テニスコートなどに散乱したテニスボールの上を通過させるだけでほとんど抵抗なくボール押上板とボール回収板の共同作業によりテニスボールを拾い上げてボール回収容器に簡単かつ容易に回収できる。
（２）ボール回収容器が、回収したボールで一杯になった場合は、ハンドル上部にボール貯蔵容器を設けておけば、これに移し替えることにより別のボール籠まで移動することなくボールの回収が継続可能になる。
（３）本考案によれば、テニスボール数個が一箇所に集まった状態でもボール押上板の動作に特別の支障もなく一遍に回収できる。
（４）本考案によれば、立った姿勢でボールが回収できるので、腰をかがめて拾い上げる方法に比べ、腰への負担がなく楽しくボール回収が出来る。本考案は、ダイワ精工株式会社製“ボールピックアップ”や鵜沢ネット株式会社製“ボールひろい”と比べても大量のテニスボールの回収がはるかに簡単かつ容易である。
（５）本考案は、比較的構造が簡単なため故障し難い利点がある。またコンパクトに畳める構造とすることができるので運搬や収納が容易で場所をとらない。
（６）サーブ練習時や練習相手へのテニスボールの送り出しの際には、ボール籠は高い位置にあった方がボールを取り出し易い。この目的の専用具としてキャスター付きのボール籠支持台が各種市販されているが、本考案のボール回収機は、ボール貯蔵容器を高い位置に設置できるので、ボールの回収後はこれら支持台としても兼用できるのでわざわざ別途に支持台を揃えなくともよい。
【実施例】
【００３４】
以下に実施例を挙げて本考案を説明するが、本考案はこれにより何ら限定されるものではない。
【００３５】
実施例１
図１〜２は本考案のボール回収機の１具体例を示す図である。図１〜２において、長方形の枠体１の後部にボール貯蔵容器１０を吊り下げるためのフック１１ａ、１１ｂを備えた折りたたみ可能なハンドル２を立設すると共に枠体１の前部左右に軸受けを設け、これら軸受けに車軸４を通し、車軸４の両端に車輪５ａ、５ｂを固着する。そして、図１や２に示すように枠体１の後部下端の左右にキャスター６ａ、６ｂを取り付ける。
また、ボール回収容器９は、ハンドルと平行する側面Ｙが反転したキャスターに接触しないように、前方から後方にその底面が上方に斜めに傾斜する構造のものとし、枠体１の車軸４の後部のボール押上板７の端部に取り付ける。そして車軸４にボール押上板７を取り付けることにより、車輪５ａ、５ｂの回転に連動したボール押上板７の働きによってテニスボールをボール回収板８に移送可能な仕組みにセットされる。尚、枠体１の前部は、枠体１の剛性を高めると共に、ボール回収機がテニスネット支柱や審判台の支柱などに接触した際にボール押上板７が破損するのを防ぐバンパーの役目を負っている。
このボール回収機の使用に際しては、ボール回収機のハンドル２を両手で掴み、テニスボールが存在する方向に前進させると車輪５ａ、５ｂの動きに伴いボール押上板７が回動する。ボール押上板７の下を通り抜けたテニスボールがボール回収板の下端にきたとき、ボール押上板とボール回収板とでボールをかかえ込むようにして捕え、ボール押上板の回転によりテニスボールはボール回収板８をせり上がってボール回収容器９に送り込まれる。こうして一旦送り込まれたボールは安定して収納され、ボール回収機の移動中にこぼれ落ちることはない。また本発明は、上述したボール回収の作用から推察できるように、テニスの硬式ボール、軟式ボールのいずれでも回収が容易に出来る。
車軸中心の高さは１１．０ｃｍ、車軸の位置は枠体（外径５８ｃｍ×３７．５ｃｍ）前方から計って１４ｃｍ、ボール押上板の先端と車軸中心との距離は１０．６ｃｍ、ボール押上板先端とボール回収板の最短距離は０．９ｃｍ、ボール回収板の仰角は１２６°（１８０°−５４°）とした。ボール回収容器は、着脱自在となっており、左右上部には取っ手をつけた。前方は、ボール回収板の端部とほぼ接触状態とした。前記ボール回収容器はアルミニウム製のかごであり、深さは約１１ｃｍのものである。
【図面の簡単な説明】
【００３６】
【図１】実施例１のボール回収機の側面図である。
【図２】実施例１のボール回収機の上面図である。
【図３】実施例１のボール回収板の斜視図である。
【符号の説明】
【００３７】
１  枠体
２  ハンドル
４  車軸
５ａ  車輪
５ｂ  車輪
６ａ  車輪またはキャスター
６ｂ  車輪またはキャスター
７  ボール押上板
８  ボール回収板
９  ボール回収容器
１０  ボール貯蔵容器
１１ａ  フック
１１ｂ  フック
１２ａ  側板
１２ｂ  側板
【図１】
0003145559.tif 000003
【図２】
0003145559.tif 000004
【図３】
0003145559.tif 000005